Podtech/llm-jp-corpus-v4-ja_patent huggingface dataset:
(57)【要約】      （修正有）【課題】放射性作用部材の持つホルミシス効果を飲食物に対して効果的に使用し、免疫系の強化作用、細胞の活性化作用、体内に蓄積された乳酸を代謝することに伴う自律神経の安定化、疲労回復、血流の改善と促進、その他緩衝中和作用を飲食物等への影響を基にして最適な形で提供する。【解決手段】主成分としてラジウム８μＳＶ以上毎時、ピンクトルマリンパウダー５％を含有した９５ｍｍ四方のシリコン製放射性作用部材とする。【選択図】なし【特許請求の範囲】
【請求項１】
主成分としてラジウム８μＳＶ以上毎時分、ピンクトルマリンパウダー５％分を含有した放射性作用部材
【請求項２】
請求項１の主成分を練りこんだシリコンで製造した放射性作用部材
【請求項３】
請求項２の大きさを９５ｍｍ四方とした放射性作用部材
【発明の詳細な説明】
【技術分野】
【０００１】本発明は、放射性作用部材に関する。
【背景技術】
【０００２】従来、放射性作用部材、特に希元素鉱物のラジウムを美容製品等に取り入れて美容又は医療目的に用いる器具は下記の先行技術文献（特許文献１乃至４参照）のとおり多く発明されてきたが、放射性作用部材の持つホルミシス効果を飲食物に対して効果的に使用した発明はなかった。【０００３】ラジウム等には以前から人体へのホルミシス効果、所謂「マイナスイオン」の発生効果、遠赤外線の発生効果があると言われており、人体に対するその安全性の高さと免疫系の強化作用、細胞の活性化作用、体内に蓄積された乳酸を代謝することに伴う自律神経の安定化、疲労回復、血流の改善と促進、その他緩衝中和作用があるとされおり、本件発明では放射性作用部材の持つこうした作用を飲食物等への影響を基にして最適な形で提供することを目的とする。
【先行技術文献】
【特許文献】
【０００４】
【特許文献１】特許公開平成１０−２４０４３
【特許文献２】特許公開２００１−１９０６７５
【特許文献３】特許公開２００３−３３９８７０
【特許文献４】特許公開２００６−３４３０５
【発明の概要】
【発明が解決しようとする課題】
【０００５】そこで本発明は、上記のような従来の放射性作用部材に係る先行発明品が持つ問題点の改善を目指し、飲食物等へのホルミシス効果を期待した放射性作用部材を提供する。
【課題を解決するための手段】
【０００６】本発明は、９５ｍｍ四方のシリコン製放射性作用部材の主成分としてラジウム８μＳＶ以上毎時、ピンクトルマリンパウダー５％を含有した。
【発明の効果】
【０００７】本発明は、その含有されるラジウム及びトルマリンの持つ放射性作用により、例えばアルコールやカフェインへの緩衝中和作用効果が確認できる。【０００８】人間がアルコールを摂取し、肝臓が持つアルコール脱水素酵素がエタノールを酸化した後にできるアセトアルデヒドが二日酔いや悪酔いの原因物質であるところ、本発明を摂取前の酒類の入った器に５分程度密着させた場合、ラジウムとトルマリンの放出する放射性作用がエタノールの成分を破壊することから、アルコール濃度が薄くなったかのように人体に知覚される効果があるものと思料する。【０００９】すなわち、アルコールの化学式がＣ２Ｈ６Ｏであるところ、ラジウムとトルマリンが発する放射線照射によりアルコールの水素分解が促進され同化学式が変異し、以ってアルコールに含まれるエタノールが生体分解されるのと近似した現象が起こり、水素又は酸素の分子が崩壊し、アルコール濃度が薄まるものと考えられる。【００１０】同じく、本発明をコーヒーに対して用いたところ、味の変化が認められたが、これはつまり、上記と同じくラジウム等の放射線照射がコーヒーに含まれるカフェイン（Ｃ８Ｈ１０Ｎ４Ｏ２）の化学式を崩壊し、カフェインの持つ覚醒作用を緩衝中和させたことに起因するものと考えられる。【００１１】これらのことから、本件発明は放射性作用により飲食物に対する一種の抗酸化作用が期待で、アルコールやカフェインだけではなくあらゆる食品添加物や有害物質に対する緩衝中和作用が期待できるものである。
【発明を実施するための形態】
【００１２】この発明の好ましい実施形態として、食器類の下敷きとして使用される、いわゆる「コースター」としての形態をとって使用することで、上記のような効果を得ることが期待できるものである。
【実施例】
【００１３】本件発明を数十人の被験者に対して使用したところ、摂取した酒類やコーヒー類の味が明らかにまろやかなものとして感じられ、さらには酔いや覚醒作用が少ないとの調査結果を得ることができた。
(57)【要約】【課題】冬期の寒い時期に長時間スリッパを履いた状態でいると使用者は足下からの寒気にさらされることとなる。本発明はスリッパの保温能力を引き上げ、寒気のなかでも快適なスリッパを提供する。【解決手段】スリッパにファスナーにて開閉するポケットを設けて市販の使い捨てカイロを挟み込み足裏を温めることにより冬期における足裏からの冷えを防ぐものである。【選択図】図３
2014069049.tif 000002
【特許請求の範囲】
【請求項１】
スリッパの台座部を上下に分割し、熱源を装着できる温かスリッパ
【発明の詳細な説明】
【技術分野】
【０００１】  本発明はスリッパの足裏に当たる部分に熱源を入れて保温効果をあげるものである。
【背景技術】
【０００２】  床の上では靴を脱ぐ文化を持つ日本ではスリッパを履くことが多い。このスリッパの役割は足裏の防護のほかに保温という機能がある。
【発明の概要】
【発明が解決しようとする課題】
【０００３】  冬期の寒い時期に暖房の効かない床の冷たい場所などで長時間スリッパを履いた状態でいると使用者は足下から昇るスリッパの保温能力を超える寒気にさらされてきた。
【課題を解決するための手段】
【０００４】  スリッパ台座部にファスナーなどにて開閉するポケットを設けて市販の使い捨てカイロなどの熱源を挟み込み、足裏を温めることにより寒気を防ぐものである。
【発明の効果】
【０００５】  スリッパのなかで使い捨てカイロなどの発熱する熱源により保温効果を高めるものである。
【図面の簡単な説明】
【０００６】
【図１】本発明の斜視図
【図２】甲被底部に設ける裏地の斜視図
【図３】ファスナーを開けて熱源を入れる状態の斜視図
【図４】本発明の断面図
【発明を実施するための形態】
【０００７】甲被と台座部からなるスリッパ本体の前部を上部と底部を二つに分割してポケットを設けてファスナー又は面ファスナー（前縁部全長３０センチ程度）で外縁部に縫い付ける。これにより、市販の発熱した使い捨てカイロ等の熱源を挟み込むためのものである。
以下に本発明の実施の形態を述べる。
（ア）スリッパ本体前部を上部と底部で二つに分割して甲被の底部には裏地を設ける。これは床面からの冷気を遮るために有効である。
（イ）前記裏地には布を使用し、甲被先端から甲被開口部の長さより少なくとも２倍の長さを有している。裏地は開口部付近で折り返し、台座部の爪先部分に縫い付ける。
（ウ）台座部先端には底部に熱源を保持できる凹みを設ける。
（エ）甲被と台座部は前部にファスナーで外縁部に縫い付ける。歩行時に支障が無ければ口が開かないように面ファスナーで止めても良い。
（オ）バリエーションとして、かかと部も前記同様の構造にしても良い。この場合保温効果は更に向上することとなる。
【符号の説明】
【０００８】１  甲被    ２  台座部    ３  ファスナー    ４  開口部    ５  裏地
６  熱源を収まりやすくする凹み    ７  使い捨てカイロなどの熱源
【図１】
2014069049.tif 000003
【図２】
2014069049.tif 000004
【図３】
2014069049.tif 000005
【図４】
2014069049.tif 000006
(57)【要約】【課題】スキンケアにより効果的なアロエ抽出液含有組成物を提供する。【解決手段】アロエ抽出液からシュウ酸成分、とりわけシュウ酸カルシウムを除去する処理を行ったアロエ抽出液に塩化ナトリウムや緑茶成分を含有させる。【特許請求の範囲】
【請求項１】
アロエ抽出液を含有する組成物であって、シュウ酸成分の除去処理したアロエ抽出液と焼塩と緑茶葉の熱抽出成分を共存させることを特徴とする抽出組成物。
【請求項２】
塩化ナトリウムを０．１〜１（重量／容量）％含む請求項１に記載の組成物。
【発明の詳細な説明】
【技術分野】
【０００１】本発明は、アロエ抽出液を含有する組成物に関するものであり、とくにキダチアロエの生葉からアロエエキスを抽出したアロエ溶液からシュウ酸カルシウム（針状結晶）を除去する処理を施したアロエ抽出液と焼塩と緑茶葉の熱抽出物を含有する組成物に関する。
【背景技術】
【０００２】アロエは「医者いらず」の格言が示すとおり、古来より外用薬としての効用、例えば火傷、虫刺され、切り傷、打ち身、ニキビ、湿疹、あせも、抜け毛、肌の老化等に対する効用や内服薬としての効用、例えば胃炎、胃潰瘍、十二指腸潰瘍、糖尿病、高血圧、低血圧、肝臓病、二日酔い、便秘、冷え性等に対する効用を有することが知られている。【０００３】従来より、アロエ、特にキダチアロエを使用して薬効を有する各種製剤を製造することが行われている。その製造方法としては、例えばアロエの生葉を洗浄し、両側のトゲを取った後、おろし金ですりおろし、あるいはミキサー等の破砕機により破砕し、これを布で絞ったり、遠心分離機等により液汁（アロエエキス）を得る方法、あるいはアロエの生葉を薄く切って、それを倍量の水で煮沸し、その後布で絞ってアロエエキスを含んだアロエ液を得る方法等がある。【０００４】特許文献１には、有効成分が含まれている生葉の残滓を使用し、キダチアロエの生葉に含有されている有効成分を全て活用したアロエ青汁の製造方法が開示されている。これによれば、原料となるアロエの生葉を所望の幅にスライスする工程と、スライスした所定量の生葉に所定量の水を加えて、該生葉と水とを加圧下にて煮沸して、アロエエキスを含んだアロエ溶液を生成する工程と、該アロエ溶液から煮沸した生葉を取出し、これを微細に破砕して湿潤性をもった粉砕生葉を得る工程と、粉砕生葉に前記アロエエキスを含んだアロエ溶液を加えるとともに所定量の水を加え、これらを銅製釜に投入し攪拌しながら所定時間煮沸する工程とを具備したアロエ青汁の製造方法が開示されている。【０００５】特許文献２には、アロエエキスの溶出効果が高く、しかも、アロエ溶液中に生葉の残滓の極めて少なく、透明感があり、しかも保存性に優れたアロエ溶液の製造方法として、アロエの生葉のトゲを切除する工程と、トゲを切除した生葉を所望の幅にスライスする工程と、スライスした所定量の生葉に所定量の水を加えて、該生葉と水とを加圧下にて煮沸してアロエエキスを溶出して、アロエエキスを含んだアロエ溶液を生成する工程と、生成されたアロエ溶液を濾過して、濾過後のアロエ溶液を低温に維持しながらアロエ溶液中の不純物を沈殿させる工程と、沈殿した不純物を除去したのち、再びアロエ溶液を煮沸し濾過する工程とを具備したアロエ溶液の製造方法が開示されている。【０００６】アロエ抽出液の調製法として、摩り下ろしたアロエを煮沸することにより、アクが除去され針状結晶やシュウ酸カルシウムによる肌のかぶれが起こりにくくなることが知られている（非特許文献１）
【先行技術文献】
【特許文献】
【０００６】
【特許文献１】特開２００２−０４７１９８号公報
【特許文献２】特開平１１−３３５２９１号公報
【非特許文献】
【０００７】
【非特許文献１】ｈｔｔｐ：／／ａｌｏｅ１００．ｊｐ／ｒｉｙｏｕｌｊｙｕｓｕ．ｈｔｍ
【発明の概要】
【発明が解決しようとする課題】
【０００７】  アロエ抽出液の効果を基本にスキンケアにより効果的な組成物を提供する。
【課題を解決するための手段】
【０００８】  本発明者は、摩り下ろしたアロエを煮沸してシュウ酸成分を除去する際に、緑茶葉と焼塩を共存させることによって、より効果的なスキンケア用の組成物ができることをを見出し、本発明を完成させた。【０００９】  本発明は、以下の構成からなる。
（１）アロエ抽出液を含有する組成物であって、シュウ酸成分の除去処理したアロエ抽出液と緑茶葉の熱抽出成分を共存させることを特徴とするアロエ抽出組成物。
（２）塩化ナトリウムを０．１〜１（重量／容量）％含む（１）に記載の組成物。
【発明の効果】
【００１０】  本発明は、アロエ抽出物の効果に加えて、緑茶葉の熱抽出物及び焼塩を含ませることによって、より効果的なスキンケア製品を提供できる。
【発明を実施するための形態】
【００１１】  アロエとりわけキダチアロエが好適に用いられ、アロエの生葉を摩り下ろしたり、ミキサー等にかけてペースト状にしたものをガーゼ等で搾り調製したアロエ抽出液に、塩化ナトリウムを０．１−１（重量／容量）％、好適には０．３−０．６（重量／容量）％加えて、煮沸して調製される。塩化ナトリウムは市販の食塩、焼塩等が用いられる。本発明は、アロエ抽出液に塩化ナトリウムと共に、緑茶葉を加えて煮沸して、緑茶成分を共存させることも含まれる。
【実施例】
【００１２】実施例１  キダチアロエの生葉を摩り下ろし、ガーゼに包みアロエ液を搾り出した。
そのアロエ液２０ｍＬに対し、１ｇの焼塩（塩化ナトリウム約７９％、マグネシウム約０．８％、カルシウム約３％、カリウム約１％含有）と緑茶の葉１ｇ（カテキン、ビタミンＡ、Ｂ１、Ｂ２、Ｃ、Ｅ含有）を一緒に煮沸した。煮沸することによって、シュウ酸成分（シュウ酸カルシウム等）がアクとなって除去されたアロエ抽出組成物を調製した。【００１３】実施例２  実施例１で調製したアロエ抽出組成物と実施例１において緑茶葉と焼塩を無添加で処理したアロエ抽出物を左右の腕の内側に塗布して本発明の効果を確かめた。５人で確かめたところ、実施例１のアロエ抽出組成物を塗った手は、緑茶葉と焼塩を無添加で抽出したものに比べて５人ともスベスベ感としっとり感が強いことを認めた。又、あかぎれやバットのスイング、ゴルフのスイングでむけたマメに塗った手はただのアロエ抽出液を塗った手より痛みが早く激減する事を認めた。体の疣や顔に塗ってもしっとり感があり、皮膚から皮脂、老廃物が排出され肌がスベスベになり若返る。
【産業上の利用可能性】
【００１４】本発明は、化粧水、全身ケア液等に利用できる。
(57)【要約】【課題】踏み切りの脱輪防止工事において、工事は短時間で済み、交通規制も必要なく、電車が来たときだけ退避して行える工法を提供する。【解決手段】何種類かの板圧を積層することにより、規定の高さを確保し、かさ上げをする材質を、ゴム又は樹脂を使用して、アンカーボルトと二液性のエポキシ樹脂により、接着、固定することにした。【選択図】図１
2014218877.tif 000002
【特許請求の範囲】
【請求項１】
何種類かの板圧を積層することにより、規定の高さを確保し、かさ上げをする材質を、ゴム又は樹脂を使用して、アンカーボルトと二液性のエポキシ樹脂により、接着、固定することを特徴とした踏切脱輪防止ブロック。
【請求項２】
何種類かの板圧を積層することにより、規定の高さを確保し、かさ上げをする材質を、ゴム又は樹脂を使用して、アンカーボルトと二液性のエポキシ樹脂により、接着、固定することを特徴とした踏切脱輪防止工法。
【発明の詳細な説明】
【技術分野】
【０００１】  本発明は、踏み切り脱輪防止ブロックとそのかさ上げ工法に関する。
【背景技術】
【０００２】  従来、踏み切りの脱輪防止ブロックは、コンクリート製である。
それに用いられる装置として、コンクリート製であるがために踏み切りの道路部分を修繕で再舗装した場合、脱輪防止ブロックの高さ（１５０ｍｍ以上）が、確保出来なくなるのが実態である。【０００４】  このための解決手段として、従来は現状のコンクリートブロックに型枠をし、コンクリートを流し込み高さを確保していた。【０００５】  しかしながら、まず、工事をするのに通行規制などをし、型枠工事〜セメント会社からのミキサー車による流し込みを行い、そして、丸２日から４日の硬化時間を経て、再度交通規制をし、型枠バラシを行い、バリ取り仕上げをして、ゼブラテープを貼付け完成されることになっていた。【０００６】  このための問題点として、踏切りに電車が近づいた場合、型枠工事の場合は、板など風圧にて飛び易い資材が多いなどの理由により、電車の本数の多い踏切ではなかなか、工事が出来ない状態であった。【０００７】  さらに、工事日程も４日から１週間必要であり、湿度の高い時期や気温の低い時期には、工事そのものが困難であった。
【先行技術文献】
【特許文献】
【０００８】
【特許文献１】特開２００１−２９４４１５号公報
【特許文献２】特開２００９−７８５２号公報
【０００９】  上記の「特許文献１」および「特許文献２」の先行技術は、いずれも本発明の課題を解決に関する手段が記載されていない。【００１０】  このように、従来の先行技術文献には、踏み切り脱輪防止ブロックかさ上げ工法に関するものは、見当たらないと考えている。
【発明の概要】
【発明が解決しようとする課題】
【００１１】  本発明が解決しようとする第一の課題は、踏み切りの脱輪防止工事において、工事は短時間で済み、交通規制も必要なく、電車が来たときだけ退避して行える部材を提供する。ことである。【００１２】  本発明が解決しようとする第二の課題は、踏み切りの脱輪防止工事において、工事は短時間で済み、交通規制も必要なく、電車が来たときだけ退避して行える工法を提供する。ことである。
【課題を解決するための手段】
【００１３】何種類かの板圧を積層することにより、規定の高さを確保し、かさ上げをする材質を、ゴム又は樹脂を使用して、アンカーボルトと二液性のエポキシ樹脂により、接着、固定することにした。【００１４】（１）かさ上げをする材質を、ゴム又は樹脂を使用して、アンカーボルトと二液性のエポキシ樹脂により、接着、固定することが出来る構造にしている。【００１５】（２）また、かさ上げ終了時、即座にゼブラテープを貼付けれるため、工事を短時間にて終了できる工法にしている。
【発明の効果】
【００１６】  工事をするのに通行規制などをし、型枠工事〜セメント会社からのミキサー車による流し込みが不要である。【００１７】  これらが解消されることが、本発明の第一の効果である。
【図面の簡単な説明】
【００１８】
【図１】  本発明の踏切脱輪防止ブロックの工事を示す詳細図である。
【図２】  本発明の踏切脱輪防止ブロックのアンカーの詳細図である。
【図３】  本発明の踏切脱輪防止ブロックの工事外観図（実例１）である。
【図４】  本発明の踏切脱輪防止ブロックの工事外観図（実例２）である。
【発明を実施するための形態】
【００１９】  以下、本発明の実施例を図面に基づいて記述する。
「踏切脱輪防止ブロックの工事」を実施するための形態は、「図１」に示すように、（何種類かの板圧を積層することにより、規定の高さを確保する構造にしている。
【実施例】
【００２０】（１）オイルキャッチャーの実施例として、その１とその２を下記に記載する。いずれも、かさ上げ終了時、即座にゼブラテープを貼付けれるため、工事を短時間にて終了できるので、踏切の脱輪防止のかさ上げ工事が簡便に行え、踏切の脱輪の予防に大きく寄与する。（図３および図４参照）【００２１】  その１として、幅の比較的狭い虎テープの構造を「図３」に示している。【００２２】  その２として、幅の比較的広い虎テープの構造を「図４」に示している。【００２３】  諸般の理由から、「虎テープの幅」は、７０〜１２０ｍｍピッチものが最適である。【００２４】（２）追加工事部の実施例として、「図１」［図２」に示した。
構造は、硬度５０度以上のゴムを採用し、二液性のエポキシ樹脂とＭ１６のアンカーにより、接着、固定している。
【産業上の利用可能性】
【００２５】  踏切の外、自動車用駐車場のかさ上げとしても利用できる。
【符号の説明】
【００２６】１    踏切脱輪防止ブロックの正面
２    踏切脱輪防止ブロックの平面
３    踏切脱輪防止ブロックの側面
４    踏切脱輪防止ブロックの斜視
５    踏切脱輪防止ブロックのかさ上げ部
６    積層部材
９    追加工事部
１０  踏切脱輪防止ブロックの締付ボルト
１１  踏切脱輪防止ブロックのアンカー
１２  虎テープ（その１）
１３  虎テープ（その２）
【図１】
2014218877.tif 000003
【図２】
2014218877.tif 000004
【図３】
2014218877.tif 000005
【図４】
2014218877.tif 000006
(57)【要約】      （修正有）【課題】重力を回転運動に換えてゼンマイに保存し、このゼンマイをカセット化して、このカセットを発電機にセットして発電するカセット式重力発電装置を提供する。【解決手段】エネルギー源として重力を利用し、重力を回転運動に換えてカセット化したゼンマイ２に保存する。カセット化したゼンマイ２を発電機３にセットし、発電する。自動車に、この発電機を装備する時には、座席や車体の揺れを利用して、ゼンマイ２を締め直すことが出来る装置にし、幾度も締め直しが可能な装置にする。一度、緩んだゼンマイ２が、揺れによって締め直され、再び発電機３にセットされることの繰り返しで、揺れが続く限り必要な電気量が確保される。【選択図】図Ｉ
2014218989.tif 000002
【特許請求の範囲】
【請求項１】
カセット式重力発電機
１  エネルギー源として重力を利用する。
２  重力を回転運動に換えてゼンマイに保存する。
３  発電機のゼンマイをカセット化して発電機にセット出来る装置にする。
４  ゼンマイのバネを締め戻す装置も製造する。
【請求項２】
１  自動車に、この発電機を装備する時には、座席や車体の揺れを利用して、ゼンマイを    締め直すことが出来る装置にする。
２  幾度も締め直しが可能な装置にする。一度、緩んだゼンマイが、揺れによって締め直    され、再び発電機にセットされることの繰り返しで、揺れが続く限り必要な電気量が    確保される。
３  必要に応じて、ゼンマイの数を増やす。
それでも足りない部分は、ガソリンも併用できる仕様にする。
【発明の詳細な説明】
【技術分野】１  重力を回転運動に換えてゼンマイに保存する。
２  このゼンマイをカセット化する。
３  このカセットを発電機にセットして発電する。
４  自動車の揺れや前後の動きを、カセット状のゼンマイを締める為のエネルギーとして利用する。
【発明の詳細な説明】
１  重力エネルギーを直接、蓄えることが困難な為、回転運動に換えてゼンマイに保存す    る。
２  このゼンマイをカセット化し、カセットバネを締める為の装置をスポーツセンターや    学校に備える。
３  このゼンマイカセットを締め直す装置を製造する。
４  自動車の座席や車体の揺れや多方面の重力エネルギーを利用する。
【図面の簡単な説明】
【図Ｉ】自動車に利用する場合で、座席が上下、前後に動き、ベルトが引っぱられてゼンマイが締まります。揺れが最も顕著なタイヤの近くにも、ゼンマイが締まる装置を設置する。▲１▼は座席とゼンマイを繋ぐベルトで、揺れを伝える。絞められたゼンマイは▲３▼の発電機に移動し、発電に利用されて弛む。弛み切ると再び座席下や、タイヤ部分に戻されて絞められる。▲５▼のスプリングはタイヤに備えられた装置で、これにゼンマイを絞める装置をセットする。
【図ＩＩ】このゼンマイは既に在るゼンマイ発電機のゼンマイ部分をカセット化したもので、家庭用の発電機にも設置出来る共通のカセットにする。ベルトは上下や左右に動くがゼンマイは一方だけに回転して締まる。一定の量が確保されたら次のゼンマイが移動して装置され、その動きが繰り返されて多くのゼンマイカセットが締め戻され車体内に保管される。必要に応じて数個のカセットが発電機にセットされ続ける。
【図Ｉ】
2014218989.tif 000003
【図ＩＩ】
2014218989.tif 000004
(57)【要約】      （修正有）【課題】一般家庭から出る新聞・チラシ・リーフレット・雑誌・パンフレット等の印刷物と繊維・フイルム・シート・容器等のプラスチック製品を利用した軽量化固形燃料を作る提供する。【解決手段】印刷物を水に含浸させたのち水中から取り出し、次に叩打し水分を除去後印刷物が粘土状に変化し、球状に固形後天日乾燥し空気を封入し軽量化後、パラフインを溶かした中に細断したプラスチック等の製品を入れ液状になるまで温度を高めた溶液の中へ、前記空気を封入し軽量化し固形物を入れ絡めて燃料を作る。【選択図】図１
2014218637.tif 000002
【特許請求の範囲】
【請求項１】
新聞・チラシ・リーフレット・雑誌・パンフレット等の印刷物を水に含浸させたのち水中から取り出し、次に叩打し水分を除去後印刷物が粘土状に変化し、それを球状に固形後天日乾燥し空気を封入することを特徴とする軽量化した固形燃料を作る方法。
【請求項２】
パラフインを耐熱容器に入れて溶かしその中に繊維・フイルム・シート・容器等のプラスチック製品を細断したものを入れ、液状化するまで温度を高め、請求項１に記載の球状に天日乾燥し空気を封入し軽量化した固形物を前期液状化した溶液の中に入れ絡めて燃料を作る方法。
【請求項３】
請求項  １に記載の固形燃料を作る方法であって、印刷物４０ｇに１６０ｇの水を含浸後放置し、叩打し粘土状に変化させて球状後天日乾燥し固形燃料を作る方法。
【発明の詳細な説明】
【発明の詳細な説明】
【技術分野】
【０００１】この発明は含浸することで新聞・チラシ・リーフレット・雑誌・パンフレット等の印刷物がばらばらに分散する特徴を利用し、さらに叩打することで水分を除去し印刷物が粘土状に変化し、球状に固形後天日乾燥し空気を封入し軽量化し固形燃料を作る方法。【０００２】パラフインを溶かし細断した繊維・フイルム・容器・シート等のプラスチック製品をパラフイン溶液の中に入れ上記製品が液状化するまで温度を高め、その中に上記記載の空気が封入し軽量化した固形物を入れ絡めて燃料を作る方法。
【背景技術】
【０００２】従来の可燃性燃料は廃棄物を破砕・細断し加熱成形した固形燃料で、使われている廃棄物が見えて汚く広く一般家庭で使うような燃料ではない、家庭で使う燃焼器具も販売されてないそのため企業の燃料としてのみ利用され、また製造する装置に多額な費用が掛かり建物・土地従業員なども必要である。
【発明が解決しょうとする課題】
【０００３】これには次のような欠点がある。
１  廃棄物が見えている汚い
１  家庭用の燃料器具がない。
１  一般に販売されていない。
１  臭いがしてくさい。
１  内部発火する危険もある。
１  着火に時間がかかる。
本発明はこれらの欠点を解決するためになされたものである。
【課題を解決するための手段】
【０００４】木質繊維を利用した新聞・チラシ・リーフレット・雑誌・パンフレット等の印刷物を水に含浸させた後水中から取り出し、次に叩打し水分を除去すると上記印刷物が粘土状に変化し、それを球状に固形後天日乾燥すると空気が封入し軽量化し、次にパラフインを耐熱容器に入れ溶かしその中に細断した繊維・フイルム・容器・シート等のプラスチック製品を入れ、液状化するまで温度を上げ上記記載の空気が封入軽量化し固形物を溶液の中に入れ絡めて作る固形燃料。
【発明を実施するための形態】
【０００５】本発明の実施の形態について説明する。
木質繊維を利用した上記記載の印刷物に水分を含浸させ軟らかくなるまで放置し、それを傾斜台の上に叩打に適した大きさに広げ、打力が均一になる打棒で満遍なく叩打していくと水分が除去され、印刷物は粘土状に変化し成形しやすくなり燃焼効率を高めるため球状に固形し、さらに天日乾燥することで空気が封入し軽量になり、次にパラフイン溶液の中に細断した繊維・フイルム・シート・容器等のプラスチック製品を入れ液状化するまで温度を高めその溶液の中に上記記載の空気が封入軽量化した固形物を入れ絡めて固形燃料を作る方法。
【発明の効果】
【０００６】素材は地産地消で調達すると費用も安くて済む、一般家庭にも販売することで新たな市場ができる、燃焼器具は石炭ストーブを少し改良すると使え、地方自治体が運営する工業団地に工場を誘致すると新たな雇用が生まれ、石炭から本件に燃料を変えることで燃料代が安く廃棄物の利用範囲も広がり、また異業種からの参入と新規起業家の参加と高齢者でも持ち運べてさらなる市場が広がる。
【図面の簡単な説明】
【０００７】
【図１】製造方法を示す概略図である。
【実施例】本発明は一般家庭から出る廃棄物で最も多く出る、新聞・チラシ・リーフレット・雑誌・パンフレット等の印刷物と繊維・フイルム・シート・容器等のプラスチック製品を短時間にしかも安価に固形燃料を作る方法で、まず新聞紙全紙２枚（約４０ｇ）またはチラシ（約４０ｇ）を水に含浸後放置すると繊維と繊維が崩れ軟らかくなる、それを傾斜台に繊維が飛散しないように囲いを付け叩打に適した大きさに広げ、打力が均一に行渡るような打棒で満遍なく叩打すると水分が除去され、重さ２００ｇから約半分１００ｇに減少し上記記載の繊維は粘土状に変化し、球状に固形し天日乾燥し空気が封入され約２０ｇと軽量化し、次に上記記載のプラスチック製品を細断し、前もって溶かしておいたパラフインの中に入れ液状になるまで温度を高め、上記記載の球状に固形・乾燥・空気が封入した固形物を上記プラスチック製品溶液の中に入れ絡めて燃料を作る方法。
【図１】
2014218637.tif 000003
【手続補正書】
【提出日】平成25年7月14日(2013.7.14)
【手続補正１】
【補正対象書類名】特許請求の範囲
【補正対象項目名】全文
【補正方法】変更
【補正の内容】
【特許請求の範囲】
【請求項１】
新聞・チラシ・リーフレット・雑誌・パンフレット等の印刷物を水に含浸させたのち水中から取り出し、次に叩打し水分を除去後印刷物が粘土状に変化し、それを球状に固形後天日乾燥すると空気が封入し軽量化し固形燃料を作る方法。
【請求項２】
パラフインを耐熱容器に入れて溶かしその中に繊維・フイルム・シート・容器等のプラスチック製品を細断したものを入れ、液状化するまで温度を高め、請求項１に記載の球状に天日乾燥し空気が封入し軽量化した固形物を容液の中に入れ絡めて燃料を作る方法。
【請求項３】
請求項１に記載の固形燃料を作る方法であって、印刷物４０ｇに１６０ｇの水を含浸後放置し、叩打し粘土状に変化した繊維を天日乾燥し固形燃料を作る方法。
【請求項４】
請求項１に記載の印刷物を水に含浸し粘土状に変化させるため叩打し、固形燃料を作る方法。
【請求項５】
請求項４に記載の粘土状を固形し、乾燥し固形燃料を作る方法。
【請求項６】
請求項５記載の乾燥し固形物に、空気を封入し作る固形燃料。
(57)【要約】【課題】  親指、人指し指、中指の３本指だけを使って行う作業の際、これらの指を保護することを目的とするのもので、着脱が簡単なため、短時間作業の場合でも手軽に装着でき、使い勝手が良いことを特徴とする３本指用の指手袋を提供する。【解決手段】  ３本指用の指手袋本体（Ａ）に指袋（２）を設け、掌部の端は伸縮性の折りヒダ（１）を設け、掌側の下端部に吊り孔（３）を設けたことを特徴とする３本指用の指手袋。【選択図】図１
2014218767.tif 000002
【特許請求の範囲】
【請求項１】
３本指用の指手袋本体（Ａ）に指袋（２）を設け、掌部の端は伸縮性の折りヒダ（１）を設け、掌側の下端部に吊り孔（３）をしたことを特徴とする３本指用の指手袋。
【発明の詳細な説明】
【技術分野】
【０００１】  本発明は、従来、家庭で使っている作業用の５本指手袋の親指、人指し指、中指とそれをつなぐ掌部と手の甲部を残し、他を全て排除したもので、３本の指でつまむことを考慮し、３本の指袋それぞれが掌側に軽く丸まっていて、３本の指袋の掌側の面はエンボス加工をして、掌部の端は伸縮性より折りヒダとなっていて、掌側の親指下端部につり孔を設けている。
着脱が簡単で、短時間使う場合でも手軽に装着でき、使い勝手が良いことを特徴とする３本指用の指手袋に関するものである。
【背景技術】
【０００２】  従来は、親指、人指し指、中指のみを使って行う作業の際で、これらの指を保護したいと考えるとき、短時間作業の場合でも、５本指用で手首までより長めの丈をもつ作業用の手袋を装着するしかなかった。
また、食事の際、直接、素手で食材を持つ必要がある場合、汚れから指を守るために、３本指用の指袋が提案されている（特許文献１参照）、（特許文献２参照）。
【先行技術文献】
【特許文献】
【０００３】
【特許文献１】  特開２００６−９５２２５号公報
【特許文献２】  登録実用新案３１１７７６３号
【発明の概要】
【発明が解決しようとする課題】
【０００４】これは  次のような問題点があった。
（イ）たとえば，メラミンスポンジを使って掃除をする場合を考えてみる。
台所、洗面所、風呂場、トイレ等水回りの汚れを除去するのは一苦労であるが、研    磨効果のあるメラミンスポンジで擦ると簡単にきれいになる。
ただ、指荒れの心配があったり、ネイルアートを施していたり、指をガードしたい    人は、長時間作業の場合は従来の作業用の手袋を装着するのだろうが、「ちょっと磨    こう」と短時間作業の場合、親指、人指し指、中指の３本指のみを保護するために、    従来の作業用の手袋の装着は、とても面倒で、煩わしく感じ、素手でしてしまい指荒    れの原因となったり、作業をする気が失せて止めてしまったりする。
（ロ）作業用の手袋は使い終わった後の保管に困る場合が多い。
（ハ）長い丈の５本指の手袋は特に夏場装着すると、熱く蒸れてとても不快である。
（ニ）食事用の３本指用の指袋は、食事中に食物を３本指でつかみ口に入れるだけの動き    が少ないことに使うものであるため、使い捨て用として平面的裁断で作られているよ    うで、擦る等動きのある作業をするには向いてなく、使い勝手が悪いと思う。
本発明は、以上の問題点を解決しようとするものである。
【課題を解決するための手段】
【０００５】  ３本指用の指手袋本体（Ａ）に指袋（２）を設け、掌部の端は伸縮性の折りヒダ（１）を設け、掌側の下端部に吊り孔（３）をしたことを特徴とする３本指用の指手袋。
【発明の効果】
【０００６】（イ）着脱が非常に簡単なため、短時間作業でも気軽に装着し、３本指を保護し指荒れを    防ぐことができるし、「気づいたらすぐ」作業する気になれる。
（ロ）使い終わると吊り孔をフックに掛け、片づけも保管も簡単で、風通しも良く衛生的    である。
（ハ）夏場、使うときでも、従来の作業用の手袋を着けたときに感じるいやな蒸れ暑さも    なく、気持ち良く３本指を保護できる。
（ニ）作業をしていてもゴワゴワせず、指にフィットしていて動きのある作業でも使い勝    手が良く、物をつまんだ際に滑りにくい。
（ホ）たとえば、これをシリコーン製にすれば、鍋つかみとしても使えるなど材質を変え    ると３本指作業の色々な場面で使うことが可能で、用途が広がる。
【図面の簡単な説明】
【０００７】
【図１】  本発明を右手に装着したときの手の甲側親指側から見た斜視図である。
【図２】  本発明を右手に手の甲側から見た正面図である。
【図３】  本発明を右手に装着したときの掌小指側から見た斜視図である。
【図４】  本発明を右手に掌親指斜め上より見た斜視図である。
【図５】  本発明を右手に装着し、スポンジで擦っている説明図である。
【発明の実施をするための形態】
【０００８】  以下、本発明の実施をするための形態について説明する。
３本指用の指手袋本体（Ａ）に指袋（２）を設け、指袋（２）の掌側の面はエンボス加工をして、掌部の端は伸縮性の折りヒダ（１）を設け、掌側の下端部に吊り孔（３）を設ける。
以上の構成よりなる３本指用の指手袋。
本発明の使い方を説明する。
一番短く太い指袋に親指を入れ、順に人指し指、中指と入れ、親指と人指し指、中指の間にスポンジ、布、その他、目的に合う物を挟み、つまみ持って、擦って汚れを除去するのに使ったり、その他の作業にも使える。
使ったあとは、掌側親指下端部に設けてある吊り孔（３）をフックに掛け保管する。
右手用、左手用の左右対称で一対であるが、利き手、片手のみの装着でよい場合、利き手と反対の手に装着した方が良い場合、そして、両手装着の必要がある場合と状況や作業により自由に選択し使える。
【符号の説明】
【０００９】    Ａ  ３本指用の指手袋本体
１  折りヒダ
２  指袋
３  吊り孔
【図１】
2014218767.tif 000003
【図２】
2014218767.tif 000004
【図３】
2014218767.tif 000005
【図４】
2014218767.tif 000006
【図５】
2014218767.tif 000007
(57)【要約】      （修正有）【課題】大きさの異なる袋を取り付けることができ、袋に入れる作業を一人でも行なうことができ、移動が容易なごみケースの提供。【解決手段】上端枠１の一部を可動式にした調整枠３を設け、上端枠１の下方に複数の半円周枠を突起部４で取り付け、最下部に車輪７付きの底板６を設けると共に、底板６は蝶番５で半円周枠に沿うように半分に折り畳む構成にする。【選択図】図１
2014218369.tif 000002
【特許請求の範囲】
【請求項１】
半円周のみで囲うので、本体が軽くて、袋を取り出しやすい。調整枠の長さを調節できる。底板は収納時に半分に折りたたんで収納できる。
【発明の詳細な説明】
【技術分野】
【０００１】  本発明は、従来の円筒形を半分の形にして、袋を取り付ける引き手を可動式の調整部として大きさの異なる袋を取り付けられる、移動式の横出しゴミケースである。
【背景技術】
【０００２】  公園などにある屋外のゴミ箱は大きくて、頑丈であるがその分重く、一般家庭向けではない。いつもピッタリはまる大きさの袋でなければずり落ちたりゆるすぎたりして効率が悪い。袋を上に持ち上げるのも一苦労で、その際に木の枝が袋を破ってゴミ箱にひっかかることも多く、ゴミ箱を倒して取り出すこともある。取り出した袋を持ち運ぶのも大変である。【０００３】  公園などで落ち葉の掃除を観察すると、少なくとも三人がかりである。集めた落ち葉を袋に詰めるために二人がかりで袋をもって広げている。その袋はリヤカーを使って運んでいる。【０００４】  家庭用に軽くて移動しやすいゴミケースがあれば、一人でも楽に落ち葉や枯れ枝の処理ができる。大きさの違う袋を買ってきてしまっても、上端枠の可動引き手部分の調節をすることによってゆるまずに袋を取り付けられる。半円状だから、袋を取り出す際に上に取り出すことなく横に楽に取り出せばいい。車輪付きだから片手でも運べる。引き手を伸ばせば移動の際に足元がぶつかることもない。底板を半分に折りたたむことにより、収納スペースが半分になる。
【発明の概要】
【発明が解決しようとする課題】
【０００５】  解決しようとする問題点は、ゴミケースに取り付ける袋の周囲が、ゴミ箱の周囲より大きければ袋がだぶつき、小さければずり落ちてしまう。公園などにあるものは重くて大きい。袋を取り出すときに枝が袋を破る。重くなると、上に取り出しにくくなる。袋を引きずれば破れてしまうことがある。
本発明は、以上の問題点を解決するためになされたものである。
【課題を解決するための手段】
【０００６】  本発明は、上端枠の一部を可動式の構造にし、半円周はずり落ちるのを防ぐために必要に応じて紐、ゴム輪など使って袋を支える。袋を取り出す際に横に取り出せるよう、開口部を横半分とすることが主要な特徴である。下部は車輪を取り付けて可動式とし、移動しやすくした。
【発明の効果】
【０００７】  本発明のゴミケースは、取り付ける袋を最大に広げられ、重くなった袋を楽に運び、取り出しやすくしたという利点がある。
【図面の簡単な説明】
【０００８】
【図１】  正面から見た斜視図である。
【図２】  横から見た図である。
【図３】  底板を折りたたんだときの横から見た図である。
【図４】  調整枠の調整部分を真上から見た図である。
【発明を実施するための形態】
【実施例１】
【０００９】  ［図１］斜視図の上端枠（１）に袋を取り付けて、［図４］調整枠（３）の調整部分を袋の大きさに合わせる。使用する材質に応じて、ボルト、ナットの組み合わせや、磁石を取り付けて調整枠の固定をする。横からはみ出すことを防ぐために、紐もしくはゴム輪を突起部（４）に取り付けておき、反対側の突起部（４）にひっかけて袋が飛び出ることを防ぐ。調整枠（３）を持ち、車輪（７）が取り付けてあるので片手で移動可能。
【実施例２】
【００１０】  ［図３］横から見た図に示した様に、底板（６）を半分に折りたたんで収納することができる。
【産業上の利用可能性】
【００１１】  一般家庭用として欲しかった、庭掃除用のゴミケースである。公共施設や公園での利用も大いに期待される。通常少なくても２〜３人で掃き掃除、ちりとり、袋を持つ者、リヤカーを移動させる者など、多人数を必要としていた。しかし、これは一人でゴミケースとともに、ちりとり、ほうきをいっしょに持ち運べて、袋を持つ者が不要のゴミケースである。一人１台を与えて効率良く迅速に掃除ができる。
図工の授業にボルトとナットの関係の学習用として工作キットとしても使える。
ホームセンターで買い足すことができる部品を使っているので、錆びても部品交換が可能。溶接して完成品として売ればコストは下がる。また、竹の使用も可能。
【符号の説明】
【００１２】（１）上端枠、（２）支点、（３）調整枠（４）突起部、（５）蝶番、（６）底板、（７）車輪、（８）磁石
【図１】
2014218369.tif 000003
【図２】
2014218369.tif 000004
【図３】
2014218369.tif 000005
【図４】
2014218369.tif 000006
(57)【要約】【課題】ゴミ箱に，買い物用のゴミ袋を装着するときに、ゴミ袋の端がはみ出したり、ゴミ箱の美観を壊すことがある。【解決手段】ゴミ箱を二重構造にし、ゴミ袋を外部より見えないように固定することで，ゴミ箱に美観を損ねない構造とする。【選択図】図１
2014218366.tif 000002
【特許請求の範囲】
【請求項１】
外部ゴミ箱と内部ゴミ箱をゴミ袋を装着できる用に内径の差を設けた二重構造とする。
【請求項２】
買い物用のゴミ袋を再利用出来るサイズに調整する。
【発明の詳細な説明】
【技術分野】
【０００１】  この発明は、ゴミ箱の形状に関する。
【背景技術】
【０００２】  従来のゴミ箱の形状は、図２に示すように、ゴミ袋をきれいに収めることのできない一重構造である。
【先行技術文献】
【特許文献】
【０００３】
【公開番号】
特開２００３−８１４０１（Ｐ２００３−８１４０１Ａ）
【発明の概要】
【発明が解決しようとする課題】
【０００５】  しかしながら、以上の技術によれば、ゴミ箱に買い物用などのゴミ袋を装着するために何らかの、器具または固定具を付加しなければならなかった。そこで、この発明は、買い物用ゴミ袋をそうちゃくしても、見栄え良くゴミ箱の優れた美観を損ねない構造をを提供することを課題とする。
【課題を解決するための手段】
【０００６】  以上の課題を解決するために、発明は、ゴミ箱を二重構造にしたことを特徴とするゴミ箱である。  また、第二発明は、すべり止め器具を設けなくてもゴミ袋をするために、ゴミ箱全体を覆うカバーを上部からかぶせる構造を取る。
【発明の効果】
【０００７】  第一発明、または第二発明によれば、ゴミ箱にゴミ袋ゴミ袋の美観を損ねることなく装着し、またゴミ袋を取り出すときも、上部にカバーをスライドして取り除くだけで、ゴミ袋を捨てることが出来る。
【図面の簡単な説明】
【０００８】
【図１】この発明の一実施形態を示す構造図である。
【図２】内部ゴミ箱にゴミ袋装着したところ。
【図３】内部ゴミ袋に、上部から外部ゴミ箱を装着したところ。
【図４】ゴミ袋が、きわめて美しく、ゴミ箱に装着されたところ。
【発明を実施するための形態】
【０００９】  この発明の一実施形態を、図１に示す。
ゴミ箱は内部ゴミ箱と外側を覆う外部ゴミ箱に別れている。内部ゴミ箱に、弱冠の遊びをもたせた内径の外部ゴミ箱を上方から装着している。
【００１０】「実施形態の効果」
この実施形態によれば、外部ゴミ箱と内部ゴミ箱の内径をわずかに設けることで、ゴミ袋を内部ゴミ袋にそって収納出来る。外部ゴミ箱で覆われるので、概観のデザインがゴミ袋でかくれてしまうことはない。ゴミを取り出すときは、外部ゴミ箱を上方にスライドさせて、ゴミ袋を取り出す。
【符号の説明】
【００１１】１  内部ゴミ箱            ２  外部ゴミ箱
【受託番号】
2014218366.tif 000003
【手続補正書】
【提出日】平成25年12月5日(2013.12.5)
【手続補正２】
【補正対象書類名】明細書
【補正対象項目名】０００８
【補正方法】変更
【補正の内容】
【０００８】
【図１】この発明の一実施形態を示す構造図である。
【図２】内部ゴミ箱に装着する方法とゴミ袋を装着した図。
【手続補正３】
【補正対象書類名】図面
【補正対象項目名】全図
【補正方法】変更
【補正の内容】
【図１】
2014218366.tif 000004
【図２】
2014218366.tif 000005
(57)【要約】【課題】    従来のポリエチレンゴミ袋、レジ袋は１００％石油由来ということから、使用後に廃棄し焼却処分する際に大量の二酸化炭素を排出することになり、地球温暖化や環境汚染を招くという問題があった。また、石油が主原料であることから高価であることも問題である。【解決手段】  無機鉱物粉末７０〜８５重量％と高密度ポリエチレン３０〜１５重量％を配合したペレットを用いたシートを製袋してなる厚さ５０〜１８μｍのゴミ袋、レジ袋を提供する。【特許請求の範囲】
【請求項１】
ゴミ袋、レジ袋であって、無機鉱物粉末と高密度ポリエチレンとを配合したペレットを用いたシートを製袋してなるゴミ袋、レジ袋。
【請求項２】
前記シートは、前記無機鉱物粉末７０〜８５重量％と前記高密度ポリエチレン３０〜１５重量％を配合したことを特徴とするペレットを用いてなる請求項１記載のゴミ袋、レジ袋。
【請求項３】
請求項１または請求項２記載のゴミ袋、レジ袋の厚さは５０〜１μｍを特徴とする。
【発明の詳細な説明】
【技術分野】
【０００１】  本発明は、家庭一般ゴミを入れるゴミ袋及び商品を入れるレジ袋に関する。
【背景技術】
【０００２】  従来から、家庭一般ゴミを入れるゴミ袋及び商品を入れるレジ袋としてポリエチレン１００％の袋が用いられている。【０００３】  また、以下に示す合成紙の製造方法というものも知られている。この合成紙の製造方法は、（１）混合、押し出し、および練りという工程により、７０重量％〜８５重量％の無機鉱物粉末、２９重量％〜１３重量％のポリエチレン、および１重量％〜２重量％の添加剤の組み合わせからペレットを形成させること、（２）ペレットを、少なくとも１つの押出機およびサーキュラーダイを有する二次成形型を含み、二次成形型が、その表面上に、少なくとも１つの注入口を有しており、注入口の各々が、二次成形型中に内部通路を規定し、かつ二次成形型のダイと通じている、紙フィルムの生産手段に適用すること、（３）ペレットを押出機中で溶融し、メルトを二次成形型の注入口に移送し、そしてメルトを、サーキュラーダイに実質的に対応している中空フィルム管に成形すること、（４）フィルム管を冷却すること、並びに（５）フィルム管が同時二軸延伸し、二次成形型のダイから２００ｍｍ〜７００ｍｍの距離において３〜８倍に膨張されるように、フィルム管を膨張させ、フィルム管の端を引いて、環境に優しい紙を形成することであって、ここで上記紙は７３μｍ〜１１６μｍの範囲の厚みを有するというものであった（例えば、特許文献１）。【０００４】  また、無機鉱物粉末と高密度ポリエチレンを配合したペレットは、既に市場で広く知られている。
【先行技術文献】
【特許文献】
【０００５】
【特許文献１】  特許第４７３９４８７号公報
【発明の概要】
【発明が解決しようとする課題】
【０００６】  従来のポリエチレンゴミ袋、レジ袋は１００％石油由来ということから、使用後に廃棄し焼却処分する際に大量の二酸化炭素を排出することになり、地球温暖化や環境汚染を招くという問題があった。また、石油が主原料であることから高価であることも問題である。
【課題を解決するための手段】
【０００７】ゴミ袋、レジ袋であって、前記無機鉱物粉末と前記高密度ポリエチレンを配合したペレットを用いたシートを製袋してなるゴミ袋、レジ袋。【０００８】  前記シートは、前記無機鉱物粉末７０〜８５重量％と前記高密度ポリエチレン３０〜１５重量％を配合したことを特徴とするペレットを用いてなる請求項１記載のゴミ袋、レジ袋。【０００９】  ゴミ袋、レジ袋の厚さは５０〜１８μｍを特徴とする。【００１０】  上記課題を解決し上記目的を達成するために、本発明の第１はゴミ袋、レジ袋であって、前記無機鉱物粉末と前記高密度ポリエチレンを配合したペレットを用いたシートにより製袋する。【００１１】  本発明のうち第２は、第１に係るゴミ袋、レジ袋であって、用いるシートは、前記無機鉱物粉末を７０〜８５重量％、前記高密度ポリエチレンを３０〜１５重量％配合したものである。
【発明の効果】
【００１２】  本発明によれば、無機鉱物粉末と高密度ポリエチレンを配合したペレットよりなるシートで作った袋を用いているので、ゴミや商品の水分が袋外に滲み出ることを防止することができる（防水性）。また、引張強度があり破れにくいので、使用中に袋が破れるという不具合を生じさせることもない。さらに、無機鉱物粉末と高密度ポリエチレンを配合したペレットを用いているので、ゴミ袋やレジ袋を安価に製作することができる。また、無機鉱物粉末と高密度ポリエチレンを配合したペレットを製袋してなるゴミ袋、レジ袋は、使用後燃えるゴミとして焼却可能であり、焼却処分によるＣＯ２の排出量も古紙７０％配合の包装紙からなる包装袋と比較して３０％少なく、かつ、主原材料である無機鉱物粉末（石灰）は、ゴミ焼却時に発生する亜硫酸ガスの中和剤として働き、ダイオキシン発生を抑制する効果を有する。さらに、焼却した後の焼却残渣は、石灰肥料、酸性土壌改良剤として活用することができる。
(57)【要約】【課題】ティッシュボックスを簡単に家具の余剰空間に取付けられるティッシュボックスホルダを提供する。【解決手段】取付部１、立上り部２、引掛部３が連続した線材で構成されることを特徴とするティッシュボックスホルダ。【選択図】図１
2014218303.tif 000002
【特許請求の範囲】
【請求項１】
取付部１、立上り部２、引掛部３が連続した線材で構成され、それをティッシュボックス４の角５に差し込むことによりボックスを保持できることを特徴とするティッシュボックスホルダ。
【発明の詳細な説明】
【技術分野】
【０００１】本発明は、机の天板の裏等の家具における余剰空間にティッシュボックスを収納するためのホルダに関するものである。
【背景技術】
【０００２】どの家庭にも食卓の近くや机上にはティッシュボックスを備えてある。しかしそれは単に置かれてあることが多く場所を取り使い勝手も悪く不便である。しかし従来の技術としては場所を取らず、頻繁な使用に適する収納部材は必ずしも充分には提案されていない。同じ目的として家具に接続部を取り付けそれに保持部を装着させるケースがあるが、家具に接続部をネジや釘等で取り付けるため、家具に傷がつきいためるものであった。（特許文献１）またベッド廻りやパソコン周辺、台所や洗面所などの水廻りにティッシュを置くスペースがない場合大変不便であった。
【特許文献１】特開平７−３２２９３６号公報
【発明の開示】
【発明が解決しようとする課題】
【０００３】従来、机の天板の裏など家具に設置するティッシュボックスホルダは机や家具にネジや釘などで取り付ける方式であるため、家具に傷が付きいためるものであった。また粘着テープや吸盤で接着する方法ではその作業が面倒であるし、粘着面で机が汚れたり吸盤が思うように付かなかったりする欠点がある。その欠点を解決するために本発明はネジや釘、粘着テープ、吸盤を使わずティッシュボックスを簡単に机の天板の裏などの家具の余剰空間に取り付けられるように発明されたものである。
【課題を解決するための手段】
【０００４】上記の目的を達成するための本発明ティッシュボックスホルダは、ティッシュシュボックス４の両角５に差し込むヘアピン状の取付部１、立上り部２、家具に掛ける引掛部３が連続した線材で構成される。【０００５】本発明は、ティッシュボックス４の両角５各々に、取付部１を差し込んで使用するものである。ティッシュは生活には欠かすことのできないものであるが、その置き場に苦慮している。そこで考え出されたのが本発明である。本発明のティッシュボックスホルダは、ティッシュボックスに取り付け家具に掛けるだけの簡単な構造であるから面倒な作業もいらないし設置も簡単にできる。頻繁に使用するティッシュボックスを、机の天板の下など家具の余剰空間をうまく利用して設置できるので場所を取らない。また各人が手近かな位置に設置できるので、お年寄りや幼児にとっても手を伸ばしたりさがしたりすることなく簡単にティッシュペーパーを取ることができる。また病院などのように、廻りにティッシュボックスを置くスペースの少ない所でも、ベッドの手すりや枕元のヘッドボードにかけることができ、寝たままでも手が届きティッシュペーパーをとることができる。最近はティッシュボックスの大きさがメーカーにより異なり小ぶりの物も売り出されている。本発明の大きな特徴としてどのようなサイズの箱にも対応できるようにするために左右二つのパーツに分かれていることである。また紛失を避けるために２個のパーツを連結させ１個のホルダとして机等に掛けることもできる。
【発明を実施するための最良の形態】
【０００６】本発明の実施例を図面を参照して説明する。図１は本発明に係るティッシュボックスホルダの平面図である。図に示すようにヘアピン状の取付部１、立上り部２、家具に掛ける引掛部３が連続した線材で構成されている。図２は本発明をティッシュボックス４に装着した斜視図である。ヘアピン状の取付部１をティッシュボックス４の角５に差込み引掛部３で家具に掛ける。図３は机上に設置した使用状態の側面図である。図３に示すようにティッシュ取り出し口を下にしたティッシュボックス４の両角５に取付部１を差し込み引掛部３を机上に引掛ける。これらの作業でティッシュボックスの下方からティッシュペーパーを取り出すことができる。水廻りなどにティッシュボックスを置くと濡れてしまうことがあったが戸棚に設置することにより水濡れを防ぐことができる。また戸棚の下の余剰空間を利用しているので場所を取らない。図４は本発明をベッドの枕元のヘッドボードに掛けて使用してる側面図である。病院などのように、廻りにスペースの少ない所ではティッシュボックスを置く場所に困るが、本発明のティッシュボックスホルダであれば、ベッドの手すりや枕元に横向きにかけることができるので場所を取らず設置することができる。よって寝たままでも手が届きティッシュペーパーを簡単に取ることができる。また本発明をティッシュボックスに装着したまま簡単に移動させることもできる。以上、説明したように、本発明は、取付部１、立上り部２、引掛け部３が連続した線材で構成されたるティッシュボックスホルダである。
また、紛失防止等のため図５のように２個の線材をつないで１つの線材にすることもできる。
【図面の簡単な説明】
【０００７】
【図１】本発明に係るティッシュボックスホルダの平面図
【図２】取付部１をティッシュボックスに装着した使用状態説明図
【図３】ティッシュボックスホルダを机に設置した側面図
【図４】ベッドに設置した側面図
【図５】２個のパーツを連結させた図
【符号の説明】１、取付部
２、立上り部
３、引掛部
４、ティッシュボックス
５、ティッシュボックス角の取付部１の挿入箇所
６、机
７、ベッドのヘッドボード
【図１】
2014218303.tif 000003
【図２】
2014218303.tif 000004
【図３】
2014218303.tif 000005
【図４】
2014218303.tif 000006
【図５】
2014218303.tif 000007